(57)【要約】【課題】建物などから排出される雑排水やし尿などの排水をバイオ処理して温かい中水温水を効率的に得ること。【解決手段】建物から排出される雑排水とし尿とを受け入れる汚水タンク１と、汚水タンク１から送給される排水をバクテリア入りカプセル４０でバイオ処理する際に微生物が発生する熱によって排水を温める排水バイオ処理タンク２と、排水バイオ処理タンク２の上部に壁を隔てて配置され、温めた排水をフィルタ４５で濾し取って収容する中水温水タンク３と、を備え、排水バイオ処理タンク２と中水温水タンク３とを隔てる壁４２は、排水バイオ処理タンク２内の排水が自然対流を作り易くする傾斜壁であり、中水温水タンク３の上部壁は、中水温水タンク３内の中水が自然対流を作り易くする傾斜壁であり、両タンク２，３を隔てる壁４２には、それぞれのタンク内での自然対流を促進するようなくの字形ヒートパイプ４１を備える。【選択図】図３
2013202572.tif 000002
【特許請求の範囲】
【請求項１】
建物の設備から排出される雑排水とし尿とを受け入れる汚水タンクと、前記汚水タンクから送給される排水をバイオ処理する際に微生物が発生する熱によって前記排水を温める排水バイオ処理タンクと、前記排水バイオ処理タンクの上部に壁を隔てて配置され、前記温めた排水をフィルタで濾し取って収容する中水温水タンクと、を備え、
前記排水バイオ処理タンクと前記中水温水タンクとを隔てる前記壁は、前記排水バイオ処理タンク内で排水の自然対流を生じさせる傾斜壁であり、前記中水温水タンクの上部壁は、前記中水温水タンク内で中水の自然対流を生じさせる傾斜壁であり、
前記両タンクを隔てる前記壁には、それぞれのタンク内での前記自然対流を阻害しない様に配置されたヒートパイプを備える排水バイオ処理温水装置。
【請求項２】
請求項１において、
前記汚水タンクからの排水を受け入れる排水バイオ処理タンクの入口と、前記中水温水タンクへ前記フィルタを通して前記排水を送り込む排水バイオ処理タンクの出口とは、前記排水バイオ処理タンクで対角線上に配置され、
前記中水温水タンクの入口と、温中水として取り出す出口とは、前記中水温水タンクで対角線上に配置される排水バイオ処理温水装置。
【請求項３】
請求項１または２において、
前記汚水タンクからの排水を受け入れる排水バイオ処理タンクの入口には、前記排水の流れを規制する水流ガイド部が前記排水バイオ処理タンクの下部壁に設けられ、
前記水流ガイド部によって規制された排水は、前記水流ガイド部近傍の側壁の方向に沿うように流れを形成する排水バイオ処理温水装置。
【請求項４】
請求項２において、
前記排水バイオ処理タンクの出口と前記中水温水タンクの入口を結ぶ通路には、イオンと有機物を濾し取る逆浸透膜フィルとポンプを設置する排水バイオ処理温水装置。
【請求項５】
建物の設備から排出される雑排水とし尿とを受け入れる汚水タンクと、前記汚水タンクから送給される排水をバイオ処理する際に微生物が発生する熱によって前記排水を温める排水バイオ処理タンクと、前記排水バイオ処理タンクの上部に壁を隔てて配置され、前記温めた排水をフィルタで濾し取って収容する中水温水タンクと、を備え、
前記排水バイオ処理タンクと前記中水温水タンクとを隔てる前記壁は、前記排水バイオ処理タンク内で排水の自然対流を生じさせる傾斜壁であり、前記中水温水タンクの上部壁は、前記中水温水タンク内で中水の自然対流を生じさせる傾斜壁であり、
前記両タンクを隔てる前記壁には、それぞれのタンク内での前記自然対流を阻害しない様に配置されたヒートパイプを備え、
前記中水温水タンクから取り出した温中水を流して周辺空気を暖める熱交換器を備え、
前記熱交換器による熱交換で上昇気流を発生させる気流制御システム。
【請求項６】
請求項５において、 
前記熱交換器は建物側壁に設けられた廃熱煙突内に設置され、前記廃熱煙突内に上昇気流を発生させる気流制御システム。
【請求項７】
請求項６において、
前記建物側壁の上方部に換気口扉をもつ上部換気口が配設され、前記換気口扉の開で前記廃熱煙突の空気流路を狭めることによって、前記上昇気流の流速を速くし、建物室内の空気を巻き込む気流制御システム。
【発明の詳細な説明】
【技術分野】
【０００１】
本発明は、住宅やビルなどの建物から出る排水を微生物でバイオ処理して温かい中水温水を得る排水バイオ処理温水装置に係わり、特に、温かい中水温水を得るための効率的な貯蔵タンクを有する排水バイオ処理温水装置と、この排水バイオ処理温水装置で得た中水温水を利用して建物内の気流を制御するシステムに関する。
【背景技術】
【０００２】
従来、井戸水を生活水として家庭で使用し、家庭での使用済みの水を散水して地中に浸透させることによって浄化し、再び家庭で使用するという水を自然循環させることが行われてきた。
【０００３】
水を循環して活用する従来技術として、例えば特許文献１には、ビルや住宅などの各建物で井戸水などの水源から上水を製造して使用し、使用済みの下水も処理して自然の水系に返す上下水道システムが提案されている。この特許文献１によると、井戸水などを磁気処理して活性化した後に生物膜ろ過して上水を製造し、その際、活性化した水で生物ろ過膜の微生物の活性化を図ってろ過能力を向上させる上水製造装置を設置し、さらに、し尿だけでなく台所や風呂などの生活雑排水も一緒に処理する下水処理装置をも設置して上下水道システムを構築することが開示されている。
【先行技術文献】
【特許文献】
【０００４】
【特許文献１】特開平７−２６５９３号公報
【発明の概要】
【発明が解決しようとする課題】
【０００５】
しかしながら、上記の特許文献１によれば、上下水処理において、井戸水を活性化処理して上水を製造し、さらに生活雑排水の下水を処理して公共用水域に排水したり地中浸透させたり水を自然循環して再利用することは提案されているが、水の再利用の過程において温水を得て利用したり、水処理装置における熱変換効率化やコンパクト化については、考慮が払われていない。
【課題を解決するための手段】
【０００６】
前記課題を解決するために、本発明は主として次のような構成を採用する。  
建物の設備から排出される雑排水とし尿とを受け入れる汚水タンクと、前記汚水タンクから送給される排水をバイオ処理する際に微生物が発生する熱によって前記排水を温める排水バイオ処理タンクと、前記排水バイオ処理タンクの上部に壁を隔てて配置され、前記温めた排水をフィルタで濾し取って収容する中水温水タンクと、を備え、
前記排水バイオ処理タンクと前記中水温水タンクとを隔てる前記壁は、前記排水バイオ処理タンク内で排水の自然対流を生じさせる傾斜壁であり、前記中水温水タンクの上部壁は、前記中水温水タンク内で中水の自然対流を生じさせる傾斜壁であり、
前記両タンクを隔てる前記壁には、それぞれのタンク内での前記自然対流を阻害しない様に配置されたヒートパイプを備える排水バイオ処理温水装置。
【０００７】
また、前記排水バイオ処理温水装置において、前記汚水タンクからの排水を受け入れる排水バイオ処理タンクの入口と、前記中水温水タンクへ前記フィルタを通して前記排水を送り込む排水バイオ処理タンクの出口とは、前記排水バイオ処理タンクで対角線上に配置され、前記中水温水タンクの入口と、温中水として取り出す出口とは、前記中水温水タンクで対角線上に配置される構成とする。
【発明の効果】
【０００８】
本発明によれば、建物から排出される雑排水やし尿などの排水をバイオ処理して中水温水を得るに際して、自然対流を生じ易くし効率的に排水を温めることによって、温かい中水温水が得ることができる。また、取り出した温かい温中水を建物内空気の換気や床暖房に有効に利用することができる。
【図面の簡単な説明】
【０００９】
【図１】本発明の実施形態に係る排水バイオ処理温水装置を住宅に適用した場合の全体構成を示すシステム構成図である。
【図２】本実施形態に係る排水バイオ処理温水装置を夏期の住宅に適用して気流制御を行うシステム構成図である。
【図３】本実施形態に係る排水バイオ処理温水装置における実施例の内部構成と機能を示す図である。
【図４】本実施形態に係る排水バイオ処理温水装置における他の実施例の内部構成と機能を示す図である。
【図５】従来の排水バイオ処理温水装置における比較例の内部構成と機能を示す図である。
【発明を実施するための形態】
【００１０】
本発明の実施形態に係る排水バイオ処理温水装置とこれを住宅に適用した場合の温水又は気流の制御システムについて、図１〜図５を参照しながら以下説明する。
【００１１】
本発明は、住宅やビルなどの建物から排出される台所や風呂などからの雑排水を利用し、さらに排出されるし尿を使用して、これらの排水を微生物でバイオ処理することによって温かい中水温水を得るものであって、温かい中水温水を得る上で効率的に排水を温める技術を提供するとともに、取り出した中水温水の利用技術を提供しようとするものである。
【００１２】
ただし、本発明は住宅、ビルなどに限らず、工場などの建造物に対しても有効であることは言うまでもない。
【００１３】
本実施形態に係る排水バイオ処理温水装置は、住宅、ビルなどの建物で使用する風呂、洗濯機、洗面所などから排出される雑排水や、便器から排出されるし尿を含む排水を微生物でバイオ処理することによって、温かい中水温水を得て、住宅、ビルなどの建物における冷暖房に利用しようとする温水装置又はシステムである。本実施形態について概して云えば、住宅から排出される排水をバイオ処理する際に微生物が発生する熱を利用して冷排水を温中水に変換して暖房と換気に利用するものである。ここで、バイオ処理した際には、生物の排泄物、有機質肥料、生分解性物質、汚泥、汚水、ゴミなどの発酵、嫌気性消化により熱が生じ、その際に発生するバイオガスは、その主たる成分としてメタン、二酸化炭素からなる。
【００１４】
本実施形態に係る排水バイオ処理温水装置は、図１と図３に示すように、家庭用住宅などから排出される雑排水、し尿、戻り冷中水を活用して中水温水を生成するものであり、主として、汚水タンク１、弁別タンク５、排水バイオ処理タンク２及び中水温水タンク３を備えており、さらに、中水温水タンク３の上部に上水管２３からの上水を蓄えてヒートパイプ４８で暖められて温上水２６を取り出せる上水温水タンク４を有していてもよい。
【００１５】
図１は本発明の実施形態に係る排水バイオ処理温水装置を住宅に適用した場合の全体構成を示すシステム構成図であり、図３は本実施形態に係る排水バイオ処理温水装置における実施例の内部構成と機能を示す図である。
【００１６】
図１と図３において、汚水タンク１にはトイレ（便器）７３からトイレ排水６５を通してし尿２１を含む排水が供給され、汚水タンク１と排水バイオ処理タンク２との間に介在する弁別タンク５には、洗濯機７１、風呂７２、洗面所７４からの雑排水２０が供給される。さらに、床暖・温水パイプ７０で熱を奪われた戻り水６４と雨樋からの雨水６７が戻り冷中水２２として冷中水タンク７に蓄えられ、蓄えられた冷中水が汚水タンク１と弁別タンク５にそれぞれ供給される。
【００１７】
汚水タンク１には、トイレ７３からトイレ排水６５を通して供給されたし尿（大便と小便）によって固形物３０が堆積され、また、弁別タンク５からの固形物を含む泥状の水３２が含まれている。さらに、し尿の固形物３０が発酵することで発生するバイオガスであるメタンガス３１が汚水タンク１には含まれている。メタンガス３１は有機物の腐敗や発酵などにより発生する可燃性ガスであり、汚水タンク１で発生したメタンガス３１はパイプを通してバイオガスタンク６に蓄えられる。また、汚水タンク１には水流を制限する制限板３３が設置されていて、処理済み下水２４として公共下水道管へ送り込む。
【００１８】
弁別タンク５は、シャッター３５とフィルタ３６を備えており、洗濯機７１、風呂７２、洗面所７４からの雑排水２０と、雑排水２０に含まれる固形物や固形物を含む泥状水とをフィルタ３６によって弁別する機能を有している。汚水タンク１につながる弁別タンク５の出口にはシャッター３５が設けられ、排水バイオ処理タンク２に排水を供給するときにシャッター３６を閉とする。雑排水２０のラインには加圧ポンプ５５が設置され、雑排水２０を加圧ポンプ５５で加圧してフィルタ３６を通過させ、処理前水３７を排水バイオ処理タンク２に送り込む。シャッター３５は、フィルタ３６を通過させるには圧力が必要であるために、排水が処理前水３７として排水バイオ処理タンク２に送り込まれるときだけ、閉とされる。ここで、処理前水３７は、弁別タンク５からの雑排水２０と汚水タンク１からの固形物を含まない汚水とを含む排水である。
【００１９】
排水バイオ処理タンク２は、弁別タンク５からの処理前水３７を受け入れる入口と、この入口とは対角線上に配置されたシャッター４４及びフィルタ４５からなる出口と、を備え、さらに、入口をもつ下壁と、この入口近傍の側壁及びセンサ４３（温度、電気伝導度、透明度、水位などのセンサ）の設置された側壁と、傾斜した上壁と、を備え、上壁は中水温水タンク３とを隔てるタンク隔離傾斜壁４２となっている。排水バイオ処理タンク２は、加圧ポンプ５５の圧力で送給された弁別タンク５からの処理前水３７で満たされており、満たされた処理前水３７にはバクテリア入りカプセル４０が多数存在する。カプセル４０内には大腸菌、枯草菌などの微小な生物（微生物）が存在し、これらの微生物によって、排水バイオ処理タンク２内の排水（処理前水３７）をバイオ処理する際に発生する熱で、温かい中水温水を得ることができる。
【００２０】
排水バイオ処理タンク２の入口は、図示する矢印の処理前水３７が側壁に沿った流れとなるように、傾斜形状の水流ガイド部３９を形成している。この水流ガイド部３９によって側壁に沿った排水の流れが形成され、その後に排水は上壁に達し、図示例で上壁における右上方への傾斜壁４２の構造で自然対流５３を作りやすくしている。すなわち、排水バイオ処理タンク２の下方部において、カプセル４０のバクテリアがバイオ処理する際に発生する熱で温められた排水は、上壁４２の傾斜に沿ってさらに斜め上昇し、太い実線の矢印で示す自然対流５３が形成され易くなっている。タンク２内の排水の温度がこの自然対流５３によって短時間で均一化して、効率的に温められるようになる。
【００２１】
さらに、排水バイオ処理タンク２には、当該タンク２の上部に配置された中水温水タンク３との間に、自然対流を阻害しないようにヒートパイプ（熱交換用伝熱棒）４１が設置されている。本実施例で用いられるヒートパイプ４１は、概略「く」の字形ヒートパイプにより構成されている。本実施例のように、ヒートパイプ４１をくの字形の構造とするのは、自然対流５３を促進するように、排水の流れに沿ったヒートパイプ４１の形状とすることに因る。ヒートパイプ４１は熱を逆流させない特性をもっている。ここでヒートパイプ４１の形状は、好ましい例として「くの字」形状とする例を示したが、これに限らず、自然対流を阻害しない(好適には促進する)形状で有れば、波型形状であっても良いし、直線的に形成されていても良い。
【００２２】
また、排水バイオ処理タンク２の出口のフィルタ４５はタンク２内にあるカプセル４０を通過させない機能をもっている。出口に設けられたシャッター４４は、出口近くに設けた温度、電気伝導度、透明度などを検出するセンサ４３からの検出信号が規定値に達するまでは、すなわち、バイオ処理が終了するまでは開かないように制御している。さらに、他のヒートパイプ３８が、排水バイオ処理タンク２の入口近傍と、汚水タンク１との間に棒状形状として設置されている。汚水タンク１で発酵した堆積固形物３０による発生熱がヒートパイプ３８を通して処理前水３７（排水バイオ処理タンク２の入口近傍の排水）に伝わることになる。
【００２３】
次に、中水温水タンク３は、下壁のタンク隔離傾斜壁４２と、側壁と、上壁であるタンク隔離傾斜壁４９と、からなるタンクであり、ポンプ４６がシャッター４４の開状態で排水バイオ処理タンク２から吸い上げた排水を処理水４７として中水温水タンク３に送り込んでいる。処理水４７は中水であり、ある程度きれいな水である。
【００２４】
また、中水温水タンク３には、排水バイオ処理タンク２内の排水と中水温水タンク３内の中水との間を熱伝熱するくの字形ヒートパイプ４１の上半分が配置される。さらに、中水温水タンク３の上部にある上水温水タンク４内の温上水と中水温水タンク３内の中水との間を熱伝熱する「く」の字形ヒートパイプ４８の下半分が、中水温水タンク３に配置される。
【００２５】
センサ４３の検出信号に基づいてシャッター４４を開制御した状態で、ポンプ４６によって吸い上げられ加圧された処理水４７は、ヒートパイプ４８のくの字形形状における下半分の勾配にそって円滑な流れとなり、ヒートパイプ４８に熱を奪われつつ上部の傾斜壁４９に沿って流れることとなる。次いで、ヒートパイプ４８で熱を奪われた処理水は、その温度の低下で、図３の左側壁に沿って流れて下部の傾斜壁４２に至る。下部のタンク隔離傾斜壁４２は、図３に示すように右上がりの傾斜となっていて自然対流５４を生じ易くしている。さらに、この傾斜壁４２に配置されたヒートパイプ４１の上半分の勾配が、傾斜壁４２に沿う処理水の自然対流５４をさらに促進している。
【００２６】
中水温水タンク３で温められた処理水は温中水２５として外部に取り出され、後述する床暖・温水パイプ７０や住宅換気用の熱交換器６０などに利用される。図示する温中水２５を取り出すパイプはタンク隔離傾斜壁４９の最上壁面よりは下方に設ける。図３の例で、温中水２５の取り出し口を中水温水タンク３の傾斜壁４９の左上最上壁面に設けると温中水をタンク３から取り出すことが困難となる。
【００２７】
次に、上水温水タンク４は、タンク隔離傾斜壁４９を介して中水温水タンク３の上方に設けられ、上水温水タンク４には上水管２３から上水が供給され、この上水がヒートパイプ４８を通して温中水と熱交換して上水温水となる。上水温水は上水温水タンク４の傾斜上壁面の下方からパイプを通して温上水２６として取り出す。温上水２６は、後述するが洗面所７４の洗面水、風呂７１のシャワー水、洗濯機のすすぎ水として利用される。
【００２８】
さらに、図１と図３において、汚水タンク１においてし尿や汚泥が発酵する際に生じたバイオガスであるメタンガス３１をパイプを通してバイオガスタンク（メタンガスタンク）６に送給して蓄える。可燃性ガスであるメタンガスは、中水温水タンク３から取り出す温中水２５を、温度センサ５７の検出信号に基づいて温める。すなわち、取り出した温中水２５の温度が温度センサ５７の検出で低いことを検知したときには、図示するバイオガスタンク６に蓄えたバイオガスを燃焼させるバイオガスヒータ１０で温める。水温が低いときの追い炊き機能を保持しているのである。さらに、上水温水タンク４から取り出す温上水２６についても、温中水２５と同様にバイオガスヒータ１０で温めることができる。
【００２９】
また、バイオガスタンク６に蓄えられたメタンガスは、温中水２５を温めるヒータとして利用することの外に、エネファームにも利用できる。エネファームは大別すると燃料電池ユニットと貯湯ユニットとから構成されており、その内の燃料電池ユニットの中の燃料電池スタックでは、バイオガスタンク６に蓄えられたメタンガスから水素を取り出し、この水素と空気中の酸素を化学反応させて発電することができ、また、化学反応時の発電のときに生まれた熱を使って湯を貯めることもできる。
【００３０】
図１を参照すると、冷中水タンク７に入る戻り冷中水２２は、雨樋からの雨水６７と、温中水６１が熱交換器６０で熱交換された中水と、床暖・温水パイプ７０で熱を奪われた戻り水６４等と、からなる。
【００３１】
以上のように、本発明の実施形態に係る排水バイオ処理温水装置は、住宅やビル等の建物から排出される雑排水やし尿等の排水を用い、排水バイオ処理タンクにおいてカプセル中の微生物でこの排水をバイオ処理する際に、微生物が発生する熱を利用して、温かい中水温水を得ることができるものであり、その特徴は、温中水を取り出す中水温水タンクと微生物でバイオ処理する排水バイオ処理タンクとをタンク隔離壁を介在させて上下に配置し、このタンク隔離壁を水平壁ではなくて、自然対流が生じ易く効率的に温まるように、傾斜壁とすることが主たる特徴である。この際に、排水バイオ処理タンクと中水温水タンクとを隔てる隔離壁が自然対流を作りやすい傾斜面とすることに加えて、中水温水タンクとその上方の上水温水タンクを隔てる隔離壁も自然対流の生じ易い傾斜面としてもよい。
【００３２】
また、排水バイオ処理タンクと中水温水タンクで自然対流の流れを促進し、効率的に水を温めるように、くの字形ヒートパイプを両タンクの隔離壁を介して設けることで、自然対流を促進させることも特徴である。さらに、排水バイオ処理タンク内の排水と中水温水タンク内の中水に自然対流が生じやすいように、それぞれのタンクの入口と出口は対角線上に配置されていることも特徴であり、さらに、排水バイオ処理タンクの入口においてバイオ処理前の排水をタンク壁面に沿う流れとするような水流ガイド部を形成することも特徴である。
【００３３】
図５は従来の排水バイオ処理温水装置における比較例の内部構成と機能を示す図であり、図５に示す従来の比較例を紹介し対比することによって、本実施形態の実施例の特徴を敷衍して説明する。 
図５に示す比較例では、排水バイオ処理タンク２と、中水温水タンク３と、上水温水タンク４の上部及び下部壁４２，４９がそれぞれ水平面を形成している。また、弁別タンク５から排水バイオ処理タンク２へ処理前水３７を導く水流ガイド部３９が、図３に示す傾斜形状ではなく（処理前水３７をタンク２の左側面方向にガイドする）、処理前水３７を鉛直方向にガイドする構造である。さらに、排水バイオ処理タンク２と中水温水タンク３を隔てるタンク隔離壁４２と、中水温水タンク３と上水温水タンク４を隔てるタンク隔離壁４９とに設置された各ヒートパイプ４１，４８が、図３に示す「く」の字形形状ではなく、直棒タイプである。
【００３４】
図５に示す水平面を形成するタンク隔離壁４２の場合、排水バイオ処理タンク２で温度の上がった排水が当該処理タンク２の上部壁（タンク隔離壁４２）を伝わる流れを形成しないので（図３では傾斜壁に沿った流れが形成される）、自然対流が処理タンク２の内部壁面を伝わるような全体的な流れが形成されずに、図５に示すような局所的対流５０となってしまい、処理タンク２内の温度上昇が不均一になり、効率的な温度上昇に結びつかない。ここで、局所的対流５０は、ヒートパイプ４１で熱を奪われ比較的温度の低下したヒートパイプ４１廻りの排水と、水流ガイド部３９から供給される比較的温かい排水との間で対流が生じている。
【００３５】
さらに、バクテリア入りカプセル４０が自然対流によって排水バイオ処理タンク２内で充分に廻らないので、バイオ処理が充分に進まず、排水を温かくすることが困難となる。温かくするために、バイオ処理タンク２内で強制対流を起こす必要があり、水流ポンプ５１又はブロワ−等を余分に設けることとなる。
【００３６】
また、中水温水タンク３についても図５に示す上部壁４９と下部壁４２が水平面形状を形成しているので、自然対流が当該タンク３内で全体的な流れとならず、局所的対流５０となってしまう。さらに、上水温水タンク４についても、中水温水タンク３と同様に、自然対流が局所的対流５０となってしまう。 
また、図５に示すタンク同士の間に配置したヒートパイプ４１と４８は、直棒タイプであるために、タンク隔離壁４２，４９に沿った自然対流の流れを抑制することとなる。一方、図３に示す「く」の字形形状のヒートパイプは自然対流の流れを促進する機能を奏する。
【００３７】
また、図５では、弁別タンク５からの処理前水３７を排水バイオ処理タンク２に送給する水流ガイド部３９は、単に鉛直方向に送るためのガイド構造である。一方、図３に示す水流ガイド部３９は、水流ガイド部３９近傍の側壁に向けて処理前水３７が進むように、傾斜したガイド機能を奏するガイド部となっている。図３では、側壁に沿って流れた処理前水３７は次いで傾斜した上部壁４２に沿った流れとなって、自然対流５３が処理タンク２内で全体的な流れとなる。
【００３８】
次に、本発明の実施形態に係る排水バイオ処理温水装置における他の実施例の内部構成と機能について、図４を参照しながら以下説明する。図４に示す排水バイオ処理温水装置の他の実施例が、図３に示す実施例と異なる点は、排水バイオ処理タンク２でバイオ処理された排水を中水温水タンク３への処理水（中水）として供給する連結部の構成である。
【００３９】
図３に示すシャッター４４とフィルタ４５を用いる代わりに、高機能フィルタであるＲＯ膜（逆浸透膜）フィルタ５２を用いることにあり、さらに、ポンプ４６を常時作動させる運転態様とすることである。ここで、ＲＯ膜（逆浸透膜）とは、ろ過膜の一種であり、水を通し水以外の不純物は透過しない性質を持つ膜のことであり、Ｒｅｖｅｒｓｅ  Ｏｓｍｏｓｉｓ  Ｍｅｍｂｒａｎｅの頭文字をとってＲＯ膜と称する。
【００４０】
逆浸透膜フィルタ５２を用いれば、イオンや有機物の極少ない水だけを濾し取ってきれいな温中水を得ることができる。逆浸透膜５２は逆流防止機能は無いのでポンプ４６を動作させ続けて処理水４７を常に供給することになる。ポンプ４６の常時動作による水の流れによって、排水バイオ処理タンク２と中水温水タンク３内の水は自然対流による流れの他に強制対流の流れも加わることとなる。温中水２５を住宅で常時使用する環境のもとでは、図４に示す他の実施例が好適である。
【００４１】
図４に示す他の実施例では、排水バイオ処理タンク２内で排水が十分な温度上昇を得られるだけの時間をかけていないので（ポンプ４６で排水バイオ処理タンク２から中水温水タンク３に常時送り込むので）、温中水２５の温度維持を図るためには、バイオガスタンク６のバイオガス（メタンガス）を用いたバイオガスヒータ又はエネファーム１０を利用して、温中水２５を温めればよい。
【００４２】
次に、本実施形態に係る排水バイオ処理温水装置から取り出せる温中水と温上水の利用形態について、図１と図２を参照しながら以下説明する。図１は本発明の実施形態に係る排水バイオ処理温水装置を住宅に適用した場合の全体構成を示すシステム構成図であり、図２は本実施形態に係る排水バイオ処理温水装置を夏期の住宅に適用して気流制御を行うシステム構成図である。
【００４３】
図１において、中水温水タンク３から取り出される温中水２５は、冬期には床暖・温水パイプ７０に流して床暖房として利用し、さらに、洗濯機７１とトイレ７３に供給されて、洗濯水やすすぎ水、トイレ流し水として利用される。また、温中水２５は熱交換器６０にも供給されて、図２で詳述する室内の換気に利用される。また、上水温水タンク４から取り出される温上水２６は、上水管２３からのきれいな上水が中水温水タンク３内の中水とヒートパイプ４８で熱交換した温かい上水であり、洗面所７４での洗面水や風呂７２におけるシャワー水として利用される他に、洗濯機７１のすすぎ水として用いてもよい。 
図２において、夏期は廃熱煙突８４の下方に設けた煙突内換気口８５を開け、温中水２５は廃熱煙突８４内の熱交換器６０に流され、熱交換器６０周辺の空気を暖める。外気温よりも熱交換器６０で暖められた空気温度が高ければ、廃熱煙突８４内に上昇気流が生まれ、このとき、温度差が大きいほど上昇気流は強くなる。
【００４４】
ここで、廃熱煙突８４は建物の側壁に設けられて、地面の位置に煙突内下部換気口８５が設けられている。また、廃熱煙突８４の上方には室内の上部換気口８１が、室内の他の換気口８０と同様に設けられている。上部換気口８１には換気口８１を開閉する上部換気口扉８２が設けられ、この扉８２は開時に煙突８４の断面積を小さくするように設置されている。
【００４５】
煙突内下部換気口８５が開いている状態で、廃熱煙突８４内の上部換気口８１が開かれ、上部換気口扉８２が廃熱煙突８４の通路内に進入することで、図２に示すように廃熱煙突８４内の上昇気流の流路が狭くなる。そうすると、上昇気流の流速が上がり、室内の空気を巻き込み、また室内天井に漂う熱い空気８３をも巻き込んで廃熱煙突８４から排出される。室内には、図２に示すように、上部換気口８１を通して廃熱煙突８４へ向かう空気の流れが発生し、室内に熱い空気がたまらないので涼しくなる。以上のように、廃熱煙突８４内に発生する上昇気流によって室内の空気が換気されて室内を涼しくさせる。
【符号の説明】
【００４６】
１  汚水タンク
２  排水バイオ処理タンク
３  中水温水タンク
４  上水温水タンク
５  弁別タンク
６  バイオガスタンク（メタンガスタンク）
７  冷中水タンク
１０  バイオガスヒータ又はエネファーム
２０  雑排水
２１  し尿（トイレ水）
２２  戻り冷中水
２３  上水管
２４  処理済み下水
２５  温中水
２６  温上水
３０  発酵堆積固形物
３１  メタンガス
３２  固形物を含む泥状の水
３３  制限板
３５  シャッター
３６  フィルタ
３７  処理前水
３８  ヒートパイプ
３９  水流ガイド部
４０  バクテリア入りカプセル
４１  ヒートパイプ（熱交換用伝熱棒）
４２  タンク隔離傾斜壁
４３  センサ（温度、電気伝導度、透明度、水位）
４４  シャッター
４５  フィルタ
４６  ポンプ
４７  処理水（中水）
４８  ヒートパイプ
４９  タンク隔離傾斜壁
５０  局所的対流
５１  水流ポンプ
５２  逆浸透膜
５３  自然対流
５４  自然対流
５５  加圧ポンプ
５６  温上水温度センサ
５７  温中水温度センサ
６０  熱交換器
６１  温中水
６２  温上水
６３  上水
６４  戻り水
６５  トイレ排水
６６  雑排水
６７  雨水
７０  床暖・温水パイプ
７１  洗濯機
７２  風呂
７３  トイレ
７４  洗面所
８０  換気口
８１  上部換気口
８２  上部換気口扉
８３  熱い空気
８４  廃熱煙突
８５  煙突内下部換気口
【図１】
2013202572.tif 000003
【図２】
2013202572.tif 000004
【図３】
2013202572.tif 000005
【図４】
2013202572.tif 000006
【図５】
2013202572.tif 000007